(57)【要約】      （修正有）【課題】振動や電子機器のユーザの運動による発電、屋内の電球や太陽光による発電、温度差を利用する熱電変換素子による発電、酵素電池による発電、電波による発電など発電部が発電することに応じて動作する電子機器を提供する。【解決手段】電子機器は、周囲の環境に応じて電力を生成する発電部と、発電部から供給される電力に応じて状態が遷移する状態遷移部と、状態遷移部の状態が遷移することに応じて、所定の情報を出力する出力部とを有する。【選択図】図１
2015109009.tif 000002
【特許請求の範囲】
【請求項１】
周囲の環境に応じて電力を生成する発電部と、
前記発電部から供給される電力に応じて状態が遷移する状態遷移部と、
前記状態遷移部の状態が遷移することに応じて、所定の情報を出力する出力部と
を有する電子機器。
【請求項２】
前記所定の情報を記録する記録部を有し、
前記出力部は記録された所定の情報を読み出した後、該所定の情報を出力するように構成された
請求項１に記載の電子機器。
【請求項３】
前記状態遷移部の状態が遷移することに応じて、前記発電部により生成された電力が前記出力部に対して供給されるように構成された
請求項１に記載の電子機器。
【請求項４】
前記状態遷移部および前記出力部に対して接続される制御部を有し、
前記状態遷移部の状態が遷移することに応じて、前記発電部により生成された電力が前記制御部に対して供給され、
前記制御部による制御に応じて前記出力部は前記所定の情報を出力するように構成された
請求項３に記載の電子機器。
【請求項５】
前記発電部により生成された電力が、１または複数の蓄電素子を介して状態遷移部に供給されるように構成された
請求項１に記載の電子機器。
【請求項６】
所定の周期でもって前記状態遷移部の状態が遷移したか否かが判断されるように構成された
請求項１に記載の電子機器。
【請求項７】
前記所定の情報は、前記発電部に割り当てられた識別子である
請求項１に記載の電子機器。
【請求項８】
前記識別子は、外部機器と通信を確立する際に前記発電部に割り当てられる
請求項７に記載の電子機器。
【請求項９】
前記所定の情報は、前記識別子、および、前記状態遷移部の状態が遷移したときの時間情報である
請求項１に記載の電子機器。
【請求項１０】
前記出力部は、有線または無線による通信により前記所定の情報を出力する
請求項１に記載の電子機器。
【請求項１１】
メイン出力部を有し、
前記出力部と前記メイン出力部との間で通信が行われ、
前記メイン出力部は、前記出力部から送信された前記所定の情報を外部機器に対して出力するように構成された
請求項１に記載の電子機器。
【請求項１２】
前記出力部と前記メイン出力部との間で有線による通信が行われるように構成された
請求項１１に記載の電子機器。
【請求項１３】
前記出力部と前記メイン出力部との間で近距離の無線による通信が行われるように構成された
請求項１１に記載の電子機器。
【請求項１４】
人体または動物に装着可能なように構成され、携帯可能に構成された
請求項１に記載の電子機器。
【請求項１５】
前記発電部は、光、熱、振動、電波、酵素のいずれかに基づくエネルギーまたは所定の機器と近接することにより得られるエネルギーにより発電する
請求項１に記載の電子機器。
【請求項１６】
前記状態遷移部は、前記発電部から出力される発電量が所定以上になると、オフからオンに状態が遷移する回路または素子である
請求項１に記載の電子機器。
【請求項１７】
前記発電量は、電圧、電流、電力および電力量のいずれか、または、それらを組み合わせたものにより規定される
請求項１６に記載の電子機器。
【請求項１８】
複数の前記発電部を有する
請求項１に記載の電子機器。
【請求項１９】
前記複数の発電部毎に対応して、前記状態遷移部および前記出力部が設けられる
請求項１８に記載の電子機器。
【請求項２０】
前記複数の発電部のそれぞれの発電量に応じて、外部機器と通信を行う出力部が決定されるように構成された
請求項１８に記載の電子機器。
【請求項２１】
前記発電量は、電圧、電流、電力および電力量のいずれか、または、それらを組み合わせたものにより規定される
請求項２０に記載の電子機器。
【請求項２２】
前記決定された出力部と他の出力部との間で通信が行われ、前記決定された出力部は、前記他の出力部から送信された前記所定の情報を外部機器に対して出力する
請求項２０に記載の電子機器
【請求項２３】
前記複数の発電部がグループ化され、
前記発電部の前記グループごとに前記状態遷移部および前記出力部が設けられる
請求項１８に記載の電子機器。
【請求項２４】
前記発電部が収納される筐体を有し、
前記発電部の特性に応じて、前記筐体内における発電部の位置が設定された
請求項１に記載の電子機器。
【請求項２５】
時計機能、表示機能および端子機能の少なくとも一の機能を有するように構成された
請求項１に記載の電子機器。
【請求項２６】
第１のエネルギーを蓄積する蓄積部と、
前記第１のエネルギーに応じて、状態が遷移する状態遷移部と、
前記第１のエネルギーを第２のエネルギーに変換する変換部と、
前記状態遷移部の状態が遷移することに応じて前記第２のエネルギーが供給され、前記第２のエネルギーを使用して所定の情報を出力する出力部と
を有する電子機器。
【請求項２７】
発電部が周囲の環境に応じて電力を生成し、
状態遷移部が、前記発電部から供給される電力に応じて状態を遷移し、
出力部が、前記状態遷移部の状態が遷移することに応じて、所定の情報を出力する
電子機器における情報処理方法。
【請求項２８】
第１の電子機器と第２の電子機器とを有し、
前記第１の電子機器は、
周囲の環境に応じて電力を生成する発電部と、
前記発電部から供給される電力に応じて状態が遷移する状態遷移部と、
前記状態遷移部の状態が遷移することに応じて、所定の情報を前記第２の電子機器に向けて出力する出力部と
を有し、
前記第２の電子機器は、
前記第１の電子機器から出力された前記所定の情報を取得する取得部を有する
情報処理システム。
【請求項２９】
前記第１の電子機器および前記第２の電子機器と通信可能な第３の電子機器を有し、
前記第１の電子機器から出力された前記所定の情報が前記第３の電子機器を介して前記第２の電子機器に供給される
請求項２８に記載の情報処理システム。
【請求項３０】
前記第２の電子機器は、前記所定の情報が供給される頻度および前記所定の情報が供給される間隔の少なくとも一方に基づく情報を生成する
請求項２８に記載の情報処理システム。
【請求項３１】
前記第２の電子機器は、前記所定の情報が供給される頻度および前記所定の情報が供給される間隔の少なくとも一方に基づいて、複数のウェブサイトにて使用可能な情報、ゲームに関する情報、健康に関する情報、認証に関する情報、前記第１の電子機器が存在する位置に関する情報、発電部の発電能力に関する情報のいずれかを生成する
請求項２８に記載の情報処理システム。
【発明の詳細な説明】
【技術分野】
【０００１】
本開示は、電子機器、情報処理方法および情報処理システムに関する。
【背景技術】
【０００２】
人間の身体に装着して各種の情報を得る電子機器が知られている。例えば、下記特許文献１には、加速度センサを有する運動量計が記載されている。
【先行技術文献】
【特許文献】
【０００３】
【特許文献１】特開２００９−２２４４０号公報
【発明の概要】
【発明が解決しようとする課題】
【０００４】
特許文献１に記載された電子機器などでは、豊富な情報を得るために複数のセンサや、それらに接続されるＡＤ(Analog to Digital)変換器が用いられるため、電子機器において消費される電力が大きくなる、という問題がある。
【０００５】
本開示の目的の一つは、上述した問題を解決し得る電子機器、情報処理方法および情報処理システムを提供することにある。
【課題を解決するための手段】
【０００６】
上述した課題を解決するために、本開示は、例えば、
周囲の環境に応じて電力を生成する発電部と、
発電部から供給される電力に応じて状態が遷移する状態遷移部と、
状態遷移部の状態が遷移することに応じて、所定の情報を出力する出力部と
を有する電子機器である。
【０００７】
本開示は、例えば、
第１のエネルギーを蓄積する蓄積部と、
第１のエネルギーに応じて、状態が遷移する状態遷移部と、
第１のエネルギーを第２のエネルギーに変換する変換部と、
状態遷移部の状態が遷移することに応じて第２のエネルギーが供給され、第２のエネルギーを使用して所定の情報を出力する出力部と
を有する電子機器である。
【０００８】
本開示は、例えば、
発電部が周囲の環境に応じて電力を生成し、
状態遷移部が、発電部から供給される電力に応じて状態を遷移し、
出力部が、状態遷移部の状態が遷移することに応じて、所定の情報を出力する
電子機器における情報処理方法である。
【０００９】
本開示は、例えば、
第１の電子機器と第２の電子機器とを有し、
第１の電子機器は、
周囲の環境に応じて電力を生成する発電部と、
発電部から供給される電力に応じて状態が遷移する状態遷移部と、
状態遷移部の状態が遷移することに応じて、所定の情報を第２の電子機器に向けて出力する出力部と
を有し、
第２の電子機器は、
第１の電子機器から出力された所定の情報を取得する取得部を有する
情報処理システムである。
【発明の効果】
【００１０】
少なくとも一つの実施形態によれば、消費される電力を小さくした電子機器を提供できる。なお、ここに記載された効果は必ずしも限定されるものではなく、本開示中に記載されたいずれの効果であってもよい。また、例示された効果により本開示の内容が限定して解釈されるものではない。
【図面の簡単な説明】
【００１１】
【図１】図１は、電子機器の構成の一例を説明するためのブロック図である。
【図２】図２は、第１の実施形態における電子機器におけるモジュールの構成の一例を説明するためのブロック図である。
【図３】図３は、電子機器を使用したシステムの一例を説明するための図である。
【図４】図４は、第１の実施形態における電子機器の処理の流れの一例を示すフローチャートである。
【図５】図５は、第１の実施形態における電子機器の処理の流れの変形例を示すフローチャートである。
【図６】図６は、第１の実施形態における電子機器の処理の流れの変形例を示すフローチャートである。
【図７】図７は、第２の実施形態における電子機器におけるモジュールの構成の一例を説明するためのブロック図である。
【図８】図８は、第２の実施形態における電子機器の処理の流れの一例を示すフローチャートである。
【図９】図９は、第３の実施形態における電子機器におけるモジュールの構成の一例を説明するためのブロック図である。
【図１０】図１０は、第３の実施形態における電子機器の処理の流れの一例を示すフローチャートである。
【図１１】図１１は、電子機器の外観の一例を説明するための図である。
【図１２】図１２は、電子機器の筐体内の構成の一例を説明するための図である。
【図１３】図１３は、電子機器の物理的な構成の一例を説明するための図である。
【図１４】図１４は、拡張モジュールの一例を説明するための図である。
【図１５】図１５は、拡張モジュールの一例である、メイン通信モジュールを説明するための図である。
【図１６】図１６は、通信システムの構成の一例を説明するための図である。
【図１７】図１７は、通信システムの構成の他の例を説明するための図である。
【図１８】図１８は、通信システムの構成の他の例を説明するための図である。
【図１９】図１９は、通信システムの構成の他の例を説明するための図である。
【図２０】図２０は、通信システムの構成の他の例を説明するための図である。
【図２１】図２１は、電子機器の応用例を説明するための図である。
【図２２】図２２Ａ乃至図２２Ｄは、電子機器の応用例を説明するための図である。
【図２３】図２３Ａ乃至図２３Ｄは、電子機器の応用例を説明するための図である。
【図２４】図２４は、変形例を説明するための図である。
【図２５】図２５は、変形例を説明するための図である。
【発明を実施するための形態】
【００１２】
以下、本開示の複数の実施形態について図面を参照しながら説明する。なお、説明は以下の順序で行う。
＜１−１．第１の実施形態＞
＜１−２．第１の実施形態の変形例＞
＜２．第２の実施形態＞
＜３．第３の実施形態＞
＜４．各実施形態に共通する内容＞
＜５．応用例＞
＜６．変形例＞
以下に説明する実施形態等は本開示の好適な具体例であり、本開示の内容がこれらの実施形態等に限定されるものではない。
【００１３】
＜１−１．第１の実施形態＞
「電子機器の構成の一例」
始めに、第１の実施形態における電子機器の構成の一例について説明する。電子機器は、例えば、発電状況そのものをセンシング情報として扱う機器である。実施形態における電子機器は、例えば、人や動物等の生命体に装着可能な小型の機器である。もちろん、据え置き型の機器や、各種の機器に内蔵されるものであってもよい。
【００１４】
図１は、第１の実施形態における電子機器の概略的な構成の一例を示す。電子機器１は、例えば、１または複数のモジュールを有する。図１に示すように、電子機器１は、例えば、４のモジュール（モジュール１０ａ，モジュール２０ａ，モジュール３０ａおよびモジュール４０ａ）を有する。それぞれのモジュールは、少なくとも、周囲の環境に応じて電力を生成する発電部と、当該発電部から供給される電力に応じて状態が遷移する状態遷移部と、当該状態遷移部の状態が遷移することに応じて、所定の情報を出力する出力部とを有する。
【００１５】
発電部は、周囲の環境に存在するエネルギーに基づいて発電する。発電部は、例えば、振動や電子機器のユーザの運動により発電するものである。なお、発電の方式は静電型、電磁型、逆磁歪型、圧電型等、問わない。発電部は、光（例えば、屋内の電球や太陽光）により発電するものでもよい。発電部は、温度差を利用して発電する熱電変換素子（例えば、ゼーベック効果やトムソン効果により発電するもの、熱電子発電素子、熱磁気発電をするもの）でもよい。発電部は、糖を利用して発電する酵素電池（バイオ電池などとも称される）でもよい。発電部は、ＬＣＲ（インダクタンス・キャパシタンス・リアクタンス）成分のいずれか、またはその組み合わせ、および、コンデンサ、キャパシタ、アンテナ、レクテナなどによる容量結合や電磁気結合を利用するものであり、例えば電波により発電するものでもよい。発電部は、近傍電磁界発電を行うもの、すなわち、電子機器を所定の機器に近接させることにより得られるエネルギーにより発電するものでもよい。近傍電磁界発電の方式は、磁界共鳴方式、電磁誘導方式、電解結合、電界共鳴方式等、公知の方式を適用できる。発電部としては、例示したもの以外の公知の発電素子を適用できる。
【００１６】
なお、電子機器１におけるモジュールが、１または複数の蓄電素子を有するようにしてもよい。蓄電素子は、発電部により生成された電力を貯蔵する等の目的に応じて使用される。蓄電素子としては、リチウムイオン２次電池等の各種の２次電池のほか、電気二重層キャパシタ、リチウムイオンキャパシタ、ポリアセン系有機半導体（Polyacenic Semiconductor（ＰＡＳ））キャパシタ、ナノゲートキャパシタ（「ナノゲート」は、ナノゲート・アクチエンゲゼルシャフトの登録商標）、セラミックコンデンサ、フィルムコンデンサ、アルミ電解コンデンサ、タンタルコンデンサなどである。目的に応じて、これらの蓄電素子を組み合わせたものが使用されてもよい。
【００１７】
状態遷移部は、発電部から供給される電力に応じて状態が遷移するものである。発電部から供給される電力が直接、状態遷移部に供給されてもよく、上述した蓄電素子を介して供給されてもよい。また、発電部に生成された電力が適宜、昇圧または降圧された後に状態遷移部に供給されてもよい。
【００１８】
状態遷移部は、例えば、１の素子または複数の素子からなる集積回路（IC:Integrated Circuit）からなる。状態遷移部としては、例えば、トランジスタ等のスイッチング素子、ダイオード、リセットＩＣ、レギュレータＩＣ、ロジックＩＣや各種の演算回路を例示することができる。ＩＣ内部の回路構成については、状態遷移部の機能を実現し得るものであれば適宜、変更することができる。なお、以下の説明では、状態遷移部としてリセットＩＣが使用されるものとして説明する。
【００１９】
状態遷移部は、発電部から供給される電力に応じて、例えば、オン／オフの２の状態の間を遷移する。例えば、状態遷移部は、発電部から出力される発電量が所定以上になると、オフ状態からオン状態に遷移する。発電量は、例えば、電圧、電流、電力および電力量のいずれか、もしくは、それらを組み合わせたものにより規定される。なお、発電部の電力が蓄電素子を介して状態遷移部に供給される場合は、状態遷移部は、蓄電素子に蓄電された発電量が所定以上になると、オフ状態からオン状態に遷移する。
【００２０】
なお、状態遷移部が、３以上の状態の間を遷移するようにしてもよい。状態遷移部は、好ましくは、遷移後の状態を保持することによりその状態を記憶できるものが好ましいが、リセット等によりその状態を保持できず記憶できないものであってもよい。
【００２１】
出力部は、状態遷移部の状態が遷移することに応じて、所定の情報を出力するものである。出力部は、例えば、電子機器１と異なる外部機器と通信を行うための通信モジュールおよびアンテナとを含み、所定の通信規格に基づく通信を行うことにより所定の情報を外部機器に対して出力する。なお、状態遷移部と通信モジュールとが制御部に対して接続され、制御部による制御に応じて通信モジュールが動作するようにしてもよい。通信モジュールが制御部を有する構成としてもよい。
【００２２】
通信モジュールにより行われる通信は、無線でもよく有線であってもよい。無線の通信は、電磁波（赤外線を含む）を利用した通信や、電界を利用した通信でもよい。具体的な方式としては、「Wi-Fi（登録商標）」、「Zigbee（登録商標）」、「Bluetooth（登録商標）」、「Bluetooth Low Energy」、「ANT（登録商標）」、「ANT＋（登録商標）」、「Enocean(登録商標)」などの数百ＭＨｚ（メガヘルツ）から数ＧＨｚ（ギガヘルツ）帯を利用する通信方式を例示することができる。NFC（Near Field Communication）等の近接無線通信でもよい。
【００２３】
例えば、状態遷移部がオン状態になることに応じて、出力部が動作し通信がなされる。出力部が出力する所定の情報は、例えば、モジュール毎に割り当てられた識別子(ID(Identifier))である。当該識別子に加えて状態遷移部の状態に対応した１ビット（論理的な意味での０または１）の情報でもよい。なお、例えば、それぞれのモジュールが異なる発電部を有する場合には、モジュール毎に識別子を割り当てることは、発電部毎に識別子を割り当てることと等価な意味である。
【００２４】
なお、モジュールに割り当てられる識別子は、予め割り当てられた識別子でもよく、その都度、割り当てられた識別子でもよい。例えば、電子機器１が他の機器と通信の接続（コネクション）を確立する際に、モジュール毎に識別子が割り当てられるようにし、その割り当てられた識別子が使用されるようにしてもよい。
【００２５】
なお、この例では、各モジュールにおける通信モジュールは、それぞれが独立して通信を行うように構成している。このため、各通信モジュールが通信を行うタイミング等を制御する必要はない。
【００２６】
「電子機器におけるモジュールの構成」
図１に示すように、モジュール１０ａは、発電部の一例として、照射される太陽光により発電する太陽光発電部１１を有する。さらに、モジュール１０ａは、太陽光発電部１１に接続される蓄電素子１２と、蓄電素子１２に接続される状態遷移部１３と、状態遷移部１３に接続される通信モジュール１４とを有する。
【００２７】
モジュール２０ａは、発電部の一例として、温度差を利用して発電する温度差発電部２１を有する。さらに、モジュール２０ａは、温度差発電部２１に接続される蓄電素子２２と、蓄電素子２２に接続される状態遷移部２３と、状態遷移部２３に接続される通信モジュール２４とを有する。
【００２８】
モジュール３０ａは、発電部の一例として、振動に応じて発電する振動発電部３１を有する。さらに、モジュール３０ａは、振動発電部３１に接続される蓄電素子３２と、蓄電素子３２に接続される状態遷移部３３と、状態遷移部３３に接続される通信モジュール３４とを有する。
【００２９】
モジュール４０ａは、発電部の一例として、電波を利用して発電する電波発電部４１を有する。さらに、モジュール４０ａは、電波発電部４１に接続される蓄電素子４２と、蓄電素子４２に接続される状態遷移部４３と、状態遷移部４３に接続される通信モジュール４４とを有する。このように、電子機器１においては、一例として、発電部毎に対応して状態遷移部および出力部が設けられている。
【００３０】
モジュールの具体的な構成の一例について、モジュール１０ａを例にして説明する。図２は、モジュール１０ａの具体的な構成の一例を示す。モジュール１０ａは、例えば、発電部１００と、レギュレータＩＣ１０１と、チャージャー１０２と、２次電池１０３と、キャパシタ１０４と、キャパシタ１０５と、リセットＩＣ１０６と、ＭＰＵ１０７と、記憶部１０８と、通信モジュール１０９とを含む構成を有する。記憶部１０８は、例えば、ＲＯＭ(Read Only Memory)１０８ａと、ＲＡＭ(Random Access Memory)１０８ｂとを含む構成を有する。
【００３１】
上述したように、モジュール１０ａの場合は、発電部１００は太陽電池からなる太陽光発電部１１である。なお、太陽光発電部１１は、例えば、太陽光発電としては同じ発電原理である、色素増感型太陽電池を使用した太陽光発電部と、アモルファスシリコン（Ｓｉ）太陽電池を使用した太陽光発電部とが別個に設けられた構成でもよい。
【００３２】
発電部１００により形成された電力がレギュレータＩＣ１０１に供給される。レギュレータＩＣ１０１は、入力電圧を昇圧または降圧し、出力電圧を一定にする。レギュレータＩＣ１０１が昇圧および降圧のいずれを行うかは、発電部１００の構成に応じて異なる。レギュレータＩＣ１０１の出力電圧がチャージャー１０２に供給される。
【００３３】
チャージャー１０２は、レギュレータＩＣ１０１から供給される電力を利用して２次電池１０３を充電する回路である。なお、チャージャー１０２が２次電池１０３の放電を制御する構成としてもよい。チャージャー１０２が２次電池１０３の異常の有無を監視するようにしてもよい。チャージャー１０２による充電の制御に応じて、２次電池１０３が充電される。
【００３４】
２次電池１０３は、充電可能な電池である。２次電池１０３としては、例えば、リチウムイオン２次電池が挙げられる。もちろん、他の２次電池でもよい。２次電池１０３の容量は、例えば、数ｍＷｈ（ミリワットアワー）程度でもよいため、２次電池１０３が大型化することはない。２次電池１０３の出力電圧が、キャパシタ１０４およびキャパシタ１０５に供給される。
【００３５】
２次電池１０３からの出力電圧によりキャパシタ１０４が蓄電される。キャパシタ１０４に蓄電された電力は、チャージャー１０２の電源として使用される。チャージャー１０２を動作させるための電源が別個、設けられてもよい。
【００３６】
２次電池１０３からの出力電圧によりキャパシタ１０５が蓄電される。キャパシタ１０５は、例えば、微弱な電流を取り出すために設けられる。また、キャパシタ１０５を使用し状態遷移部としてリセットＩＣ１０６を使用した場合に、リセットＩＣ１０６等がキャパシタ１０５の電圧に応じた動作を行うことができ、回路の構成を簡略化できる。なお、キャパシタ１０５を設けずに、２次電池１０３とリセットＩＣ１０６と接続される構成でもよい。２次電池１０３、キャパシタ１０４およびキャパシタ１０５が上述した蓄電素子１２の一例として対応する。
【００３７】
リセットＩＣ１０６は、上述した状態遷移部１３の一例である。リセットＩＣ１０６は、例えば、例えば、キャパシタ１０５の電圧と基準電圧と比較するコンパレータと、比較結果に応じてオン／オフするトランジスタ等の素子とを含む。基準電圧は、例えば、ＭＰＵ１０７の動作電圧（３．３Ｖや５Ｖなど）以上に設定される。
【００３８】
リセットＩＣ１０６は、キャパシタの電圧が基準電圧以上になるとオフ状態からオン状態に遷移する。リセットＩＣ１０６がオン状態に遷移することに応じてキャパシタ１０５とＭＰＵ１０７とが接続される。そして、キャパシタ１０５に蓄電された電力がＭＰＵ１０７の動作電圧として供給される。
【００３９】
制御部の一例であるＭＰＵ１０７は、リセットＩＣ１０６および通信モジュール１０９に対して接続されている。ＭＰＵ１０７は、リセットＩＣ１０６がオン状態に遷移することに応じて供給される電力を電源として動作する。ＭＰＵ１０７は、通信モジュール１０９等に対する制御を実行する。
【００４０】
ＭＰＵ１０７に接続される記憶部１０８は、例えば、ＲＯＭ１０８ａとＲＡＭ１０８ｂとを含む。ＲＯＭ１０８ａには、例えば、ＭＰＵ１０７により実行されるプログラムが格納されている。なお、ＲＯＭ１０８ａにモジュール１０ａに予め割り当てられた識別子が格納されてもよい。ＲＡＭ１０８ｂは、ＭＰＵ１０７が処理を実行する際のワークメモリ等として使用される。例えば、通信のコネクションを確立する際にモジュール１０ａの識別子が割り当てられる場合には、割り当てられた識別子がＲＡＭ１０８ｂに記憶されるようにしてもよい。
【００４１】
通信モジュール１０９は、ＭＰＵ１０７による制御にしたがって、所定の通信方式に基づく処理を行うものである。図示は省略しているが、通信モジュール１０９は、フィルムアンテナ、バーアンテナ等の小型のアンテナまたは、アンテナ機能を十分に満たすコンデンサやキャパシタを有する。上述したように、通信モジュール１０９により行われる通信の方式は公知の方式を適用することができ、特定の通信方式に限定されるものではない。なお、上述した記憶部１０８は、通信モジュール１０９に接続される構成でもよい。複数（例えば、２個の記憶部）がＭＰＵ１０７および通信モジュール１０９のそれぞれに接続される構成でもよい。
【００４２】
以上の説明ではモジュール１０ａの構成の一例を説明したが、他のモジュールの構成については、発電部の構成等に対応して適宜、変更できる。また、例えば、モジュール１０ａの状態遷移部とモジュール２０ａの状態遷移部の構成を異なる構成にしてもよい。上述した説明における構成と異なる構成、例えば、発電部の出力が交流である場合には、整流回路が発電部の出力側に設けられてもよい。
【００４３】
電子機器１における一部の構成を各モジュール間で共通化してもよい。例えば、各モジュールのＭＰＵが記憶部１０８にアクセス可能なように構成する。記憶部１０８の記憶領域を複数に分割し、各モジュール専用の記憶領域を割り当てるようにしてもよい。各記憶領域を各モジュールが時分割に使用する構成としてもよい。もしくは、割り当てられた記憶領域を各モジュールが順次、使用する制御方式が電子機器１に適用されてもよい。
【００４４】
「電子機器を用いたシステムの一例」
図３は、電子機器を用いたシステムの一例を示す。上述したように、電子機器１は、各モジュールが有する通信モジュールを使用して外部機器と通信を行う。外部機器は、電子機器１とネットワークＮＴを介して接続されるデータベース装置ＤＢ１やデータベース装置ＤＢ２、パーソナルコンピュータＰＣなどである。外部機器は、企業で使用される機器でもよく、個人で使用される機器でもよい。外部機器は、電子機器１と有線により接続される機器でもよい。
【００４５】
なお、電子機器１が、中継機器を介してそれらの外部機器と通信を行うようにしてもよい。中継機器としては、ユーザが所有し、電子機器と比較的、近接した位置にあるスマートホンＳＨを例示することができる。中継機器は、スマートホンのほか、タブレット型のコンピュータ、ノート型のパーソナルコンピュータでもよいし、複数の電子機器１が有る場合の１の電子機器１でもよい。これらの中継機器も外部機器に含まれる。なお、電子機器を用いたシステムのより具体的な例（応用例）については後述する。
【００４６】
「電子機器における処理の流れの一例」
電子機器１におけるモジュールの処理の流れの一例について、図４のフローチャートを参照して説明する。なお、以下の説明では、モジュール１０ａにおける処理の流れの一例について説明する。他のモジュールの処理の流れは、モジュール１０ａと概ね同様であるが、モジュールの構成に応じた差異が存在してもよい。各モジュールの処理は、例えば、それぞれ独立して行われる。
【００４７】
ステップＳＴ１０において、発電部１００（この例では、太陽光発電部１１）が発電する。例えば、電子機器１を身につけたユーザが晴天の屋外にでることにより発電部１００に日光が照射され、発電部１００が発電する。もちろん、屋外が雨天や曇りである場合には、発電部１００は発電しないまたは僅かしか発電しない。そして、処理がステップＳＴ１１に進む。
【００４８】
ステップＳＴ１１では、発電部１００により形成された電力がレギュレータＩＣ１０１等を介して蓄電素子の一つであるキャパシタ１０５に供給される。そして、キャパシタ１０５が蓄電され、キャパシタ１０５の電圧が上昇する。そして、処理がステップＳＴ１２に進む。
【００４９】
ステップＳＴ１２では、キャパシタ１０５の電圧が基準電圧以上であるか否かが判断される。キャパシタ１０５の電圧が基準電圧より小さい場合には、処理がステップＳＴ１２に戻る。キャパシタ１０５の電圧が基準電圧以上である場合には、処理がステップＳＴ１３に進む。
【００５０】
ステップＳＴ１３では、キャパシタ１０５の電圧が基準電圧以上になることに応じて、リセットＩＣ１０６がオフ状態からオン状態に遷移する。なお、キャパシタ１０５の電圧が基準電圧以上になることに応じてリセットＩＣ１０６の状態が遷移するものであり、ある機能ブロックによりステップＳＴ１２の判定処理がなされるものではない。リセットＩＣ１０６がオン状態に遷移することに応じて、キャパシタ１０５の出力電圧がＭＰＵ１０７に供給される。そして、処理がステップＳＴ１４に進む。
【００５１】
ステップＳＴ１４では、キャパシタ１０５から供給される電力を電源としてＭＰＵ１０７が動作する。ＭＰＵ１０７は、例えば、ＲＯＭ１０８ａに格納されたプログラムを読み出して、プログラムに記述されたコードに応じた処理を実行する。そして、処理がステップＳＴ１５に進む。
【００５２】
ステップＳＴ１５において、ＭＰＵ１０７は、通信モジュール１０９に対して電力を供給するとともに、通信モジュール１０９を制御する。すなわち、ＭＰＵ１０７は、通信モジュール１０９に対して通信の開始を指示し、例えばモジュール１０ａの識別子を外部機器に送信するように指示する。そして、処理がステップＳＴ１６に進む。
【００５３】
ステップＳＴ１６では、ＭＰＵ１０７による制御に応じて、通信モジュール１０９が通信を行う。通信モジュール１０９は、所定の通信方式にしたがって、例えば、モジュール１０ａに割り当てられた識別子を外部機器に対して送信する。モジュール１０ａの識別子を受信した外部機器は、例えば、モジュール１０ａが有する太陽光発電部１１が、システムの一部ないしすべての動作を行うためのエネルギー量を発電したことを認識することができる。
【００５４】
なお、図示は省略しているが、ＭＰＵ１０７が動作することに応じて、キャパシタ１０５の電圧が低下し、これに応じて、リセットＩＣ１０６がオン状態からオフ状態に遷移する。ＭＰＵ１０７に対する給電が停止することにより、ＭＰＵ１０７および通信モジュール１０９の動作が停止する。太陽光発電部１１の発電が継続する場合などは、上述した処理が繰り返される。
【００５５】
なお、上述した処理は、発電部が一定以上、発電することに応じて実行される、換言すれば、例えば、ＭＰＵおよび通信モジュールが動作する最低限の電力が発電または蓄積された場合に系統（モジュール）独自の情報を生成し、出力するようにしている。電子機器のユーザが特別な操作を行う必要がない。電子機器では、発電部の発電状況そのものをセンシング情報として使用する。すなわち、発電部をセンサおよび電源として機能させている。このため、センシング情報を得るための特有の構成（例えば、加速度センサやジャイロセンサ、温度センサ、地磁気センサ等のセンサ）を設ける必要がない。
【００５６】
これらのセンサやセンサ情報を処理するためのＡＤ変換部を設ける必要がないために、電源を供給するための大型の電池を搭載する必要がなく、電子機器自体を小型化できる。電子機器自体を小型化できるため、例えば、ユーザが電子機器を装着しても、ユーザが違和感を覚えることがない。また、電子機器自体を小型化できるため、他の機器に対して電子機器を組み込むことも容易にできる。また、実施形態における電子機器では、小型の電子機器に起こり得る電池切れによる動作の停止を防止できる。
【００５７】
＜１−２．第１の実施形態の変形例＞
第１の実施形態における電子機器１の処理は、例えば、図５のフローチャートに示す変形が可能である。なお、以下の説明では、上述した処理と異なる点を中心に説明する。
【００５８】
ステップＳＴ１０からステップＳＴ１３までの処理は、上述したので概略的な説明に留める。キャパシタ１０５に基準電圧以上の電圧が蓄電されることによりリセットＩＣ１０６がオフ状態からオン状態に遷移する。そして、処理がステップＳＴ１３からステップＳＴ２０に進む。
【００５９】
リセットＩＣ１０６がオン状態に遷移することに応じてＭＰＵ１０７が動作を開始する。ＭＰＵ１０７は、リセットＩＣ１０６がオン状態に遷移したことを、ＲＡＭ１０８ｂに記憶する。ＭＰＵ１０７は、例えば、モジュール１０ａの識別子をＲＡＭ１０８ｂに記憶する。そして、ＭＰＵ１０７は、ＲＡＭ１０８ｂに記憶したモジュール１０ａの識別子を読み出して、当該識別子を外部機器に送信するように、通信モジュール１０９に指示する。以降のステップＳＴ１５およびステップＳＴ１６の処理は、既に説明しているので重複した説明を省略する。
【００６０】
なお、記憶部１０８にモジュール１０ａの識別子と異なる情報が記憶されるようにしてもよい。例えば、記憶部１０８にカウンターを設け、リセットＩＣ１０６がオフ状態からオン状態に遷移した回数が記憶されるようにしてもよい。そして、モジュール１０ａの識別子とともに、モジュール１０ａがオン状態に遷移した回数が外部機器に送信されるようにしてもよい。
【００６１】
また、ＭＰＵ１０７がモジュール１０ａの識別子等をＲＡＭ１０８ｂに記憶する際に、図６のフローチャートにおけるステップＳＴ２２，ステップＳＴ２３およびステップＳＴ２４の処理が行われるようにしてもよい。
【００６２】
ステップＳＴ２２において、ＭＰＵ１０７は、記録処理を行う際にＲＡＭ１０８ｂの記憶容量があるか否かを判断する。ステップＳＴ２２において、ＲＡＭ１０８ｂの記憶容量がある場合には、処理がステップＳＴ２３に進む。ステップＳＴ２３では、ＭＰＵ１０７によるＲＡＭ１０８ｂに対する記録処理が行われる。ステップＳＴ２２において、ＲＡＭ１０８ｂの記憶容量がある場合には、処理がステップＳＴ２４に進む。
【００６３】
ステップＳＴ２４では、ＲＡＭ１０８ｂの記憶容量がないことから、外部メモリに対する記録処理が行われる。詳細は後述するが、電子機器に対しては、種々の機能を有する拡張モジュールを追加することが可能である。拡張モジュールが記憶機能を有するものであれば、当該拡張モジュールにモジュール１０ａの識別子等を記憶するようにしてもよい。拡張モジュールが記憶機能を有しているか否かをＭＰＵ１０７が判断し、記憶機能を有している場合に拡張モジュールに対する記録処理が行われるようにしてもよい。なお、ＲＡＭ１０８ｂの記憶容量がない場合に、上書き処理がなされるようにしてもよい。
【００６４】
＜２．第２の実施形態＞
次に、第２の実施形態について説明する。第２の実施形態の説明において、上述した第１の実施形態と同様の構成については、重複した説明を適宜、省略する。第２の実施形態における電子機器は、状態遷移部の状態が遷移した際の時間情報を出力するように構成したものである。
【００６５】
「電子機器の構成の一例」
第２の実施形態における電子機器（適宜、電子機器２と称する）は、第１の実施形態における電子機器１と同様に、１または複数のモジュールを有する。電子機器２は、例えば、モジュール１０ｂと、モジュール２０ｂと、モジュール３０ｂと、モジュール４０ｂとを有する。各モジュールは、例えば、発電部と、蓄電素子と、状態遷移部と、通信モジュールとを有する。
【００６６】
電子機器２におけるモジュールの具体的な構成の一例について、モジュール１０ｂを例にして説明する。なお、電子機器２における他のモジュールの構成は、例えば、モジュール１０ｂの構成と同様とされるが、モジュール毎に構成の差異が存在してもよい。
【００６７】
図７は、モジュール１０ｂの具体的な構成の一例を示す。モジュール１０ｂは、電子機器１におけるモジュール１０ａと同様に、例えば、発電部１００と、レギュレータＩＣ１０１と、チャージャー１０２と、２次電池１０３と、キャパシタ１０４と、キャパシタ１０５と、リセットＩＣ１０６と、ＭＰＵ１０７と、記憶部１０８と、通信モジュール１０９とを含む構成を有する。記憶部１０８は、例えば、ＲＯＭ１０８ａと、ＲＡＭ１０８ｂとを含む構成を有する。
【００６８】
さらに、モジュール１０ｂは、ＲＴＣ(Real Time Clock)１５０を有する。ＲＴＣ１５０は、ＭＰＵ１０７に対して接続されており、ＭＰＵ１０７に対して時間情報を供給する。時間情報は、年月日等、適宜設定できる。ＭＰＵ１０７がＲＴＣを内蔵する構成でもよい。
【００６９】
なお、図示は省略しているが、ＲＴＣ１５０を駆動するための電源装置が電子機器２に設けられる。電源装置は、リチウムイオン電池等の２次電池や１次電池などである。ＲＴＣ１５０の消費電力が僅かであるため、コイン型等の小型の電池が使用されてもよい。２次電池１０３に蓄電された電力がＲＴＣ１５０に対して供給されるようにしてもよい。ＭＰＵ１０７は、リセットＩＣ１０６がオフ状態からオン状態に遷移することに応じて、モジュール１０ｂの識別子とともにＲＴＣ１５０から供給される時間情報を通信モジュール１０９に供給する。通信モジュール１０９は、モジュール１０ｂの識別子と時間情報とを通信により外部機器に出力する。
【００７０】
「電子機器における処理の流れの一例」
電子機器２におけるモジュールの処理の流れの一例について、図８のフローチャートを参照して説明する。なお、以下の説明では、モジュール１０ｂにおける処理の流れの一例について説明する。他のモジュールの処理の流れは、モジュール１０ｂと概ね同様であるが、モジュールの構成に応じた差異が存在してもよい。各モジュールの処理は、例えば、それぞれ独立して行われる。
【００７１】
ステップＳＴ３０において、発電部１００（この例では、太陽光発電部１１）が発電する。例えば、電子機器２を身につけたユーザが晴天の屋外にでることにより発電部１００に日光が照射され、発電部１００が発電する。もちろん、屋外が雨天や曇りである場合には、発電部１００は発電しないまたは僅かしか発電しない。そして、処理がステップＳＴ３１に進む。
【００７２】
ステップＳＴ３１では、発電部１００により形成された電力がレギュレータＩＣ１０１等を介して蓄電素子の一つであるキャパシタ１０５に供給される。そして、キャパシタ１０５が蓄電され、キャパシタ１０５の電圧が上昇する。そして、処理がステップＳＴ３２に進む。
【００７３】
ステップＳＴ３２では、キャパシタ１０５の電圧が基準電圧以上であるか否かが判断される。キャパシタ１０５の電圧が基準電圧より小さい場合には、処理がステップＳＴ３２に戻る。キャパシタ１０５の電圧が基準電圧以上である場合には、処理がステップＳＴ３３に進む。
【００７４】
ステップＳＴ３３では、キャパシタ１０５の電圧が基準電圧以上になることに応じて、リセットＩＣ１０６がオフ状態からオン状態に遷移する。なお、キャパシタ１０５の電圧が基準電圧以上になることに応じてリセットＩＣ１０６の状態が遷移するものであり、ある機能ブロックによりステップＳＴ３２の判定処理がなされるものではない。リセットＩＣ１０６がオン状態に遷移することに応じて、キャパシタ１０５の出力電圧がＭＰＵ１０７に供給される。そして、処理がステップＳＴ３４に進む。
【００７５】
ステップＳＴ３４では、キャパシタ１０５から供給される電力を電源としてＭＰＵ１０７が動作する。ＭＰＵ１０７は、例えば、ＲＯＭ１０８ａに格納されたプログラムを読み出して、プログラムに記述されたコードに応じた処理を実行する。そして、処理がステップＳＴ３５に進む。
【００７６】
ステップＳＴ３５において、ＭＰＵ１０７は、通信モジュール１０９に対して電力を供給するとともに、通信モジュール１０９を制御する。ＭＰＵ１０７は、例えば、ＲＯＭ１０８ａに格納されているモジュール１０ｂの識別子と、ＲＴＣ１５０から供給される時間情報とを通信モジュール１０９に供給し、これらの情報の出力を指示する。そして、処理がステップＳＴ３６に進む。
【００７７】
ステップＳＴ３６では、ＭＰＵ１０７による制御に応じて、通信モジュール１０９が通信を行う。通信モジュール１０９は、所定の通信方式にしたがって、モジュール１０ｂに割り当てられた識別子および時間情報を外部機器に対して送信する。外部機器は、例えば、モジュール１０ｂが有する太陽光発電部１１が発電したことおよび太陽光発電部１１が発電したタイミングを認識することができる。また、再度、外部機器がモジュール１０ｂの識別子と時間情報とを受信した場合には、当該外部機器は、状態遷移部がオン状態に遷移した時間的な間隔、換言すれば、太陽光発電部１１が発電した間隔を外部機器側で時間情報をもたずとも、あるいは、時間情報を生成せずとも認識することができる。
【００７８】
なお、ＭＰＵ１０７は、リセットＩＣ１０６がオン状態に遷移したときの時間情報をＲＡＭ１０８ｂに記憶するようにしてもよい。これにより、例えば通信をその都度行わなくても、情報が蓄積された状態で通信を行う場合であっても状態遷移に関する時間情報を外部機器側に知らせることができる。
【００７９】
なお、図示は省略しているが、ＭＰＵ１０７が動作することに応じて、キャパシタ１０５の電圧が低下し、これに応じて、リセットＩＣ１０６がオン状態からオフ状態に遷移する。ＭＰＵ１０７に対する給電が停止することにより、ＭＰＵ１０７および通信モジュール１０９の動作が停止する。太陽光発電部１１の発電が継続する場合などは、上述した処理が繰り返される。
【００８０】
＜３．第３の実施形態＞
次に、第３の実施形態について説明する。第３の実施形態の説明において、上述した第１の実施形態と同様の構成については、重複した説明を適宜、省略する。
【００８１】
「電子機器の構成の一例」
第３の実施形態における電子機器（適宜、電子機器３と称する）は、第１の実施形態における電子機器１と同様に、１または複数のモジュールを有する。電子機器３は、例えば、モジュール１０ｃと、モジュール２０ｃと、モジュール３０ｃと、モジュール４０ｃとを有する。各モジュールは、例えば、発電部と、蓄電素子と、状態遷移部と、通信モジュールとを有する。
【００８２】
電子機器３におけるモジュールの具体的な構成の一例について、モジュール１０ｃを例にして説明する。なお、電子機器３における他のモジュールの構成は、例えば、モジュール１０ｃの構成と同様とされるが、モジュール毎に構成の差異が存在してもよい。
【００８３】
図９は、モジュール１０ｃの具体的な構成の一例を示す。モジュール１０ｃは、電子機器１におけるモジュール１０ａと同様に、例えば、発電部１００と、レギュレータＩＣ１０１と、チャージャー１０２と、２次電池１０３と、キャパシタ１０４と、キャパシタ１０５と、リセットＩＣ１０６と、ＭＰＵ１０７と、記憶部１０８と、通信モジュール１０９とを含む構成を有する。記憶部１０８は、例えば、ＲＯＭ１０８ａと、ＲＡＭ１０８ｂとを含む構成を有する。
【００８４】
モジュール１０ｃは、さらに、クロック発生部１６０を有する。クロック発生部１６０は、例えば、所定の周期でもってクロックを発生する。クロック発生部１６０は、自身が発生するクロックが所定の設定値になった場合に、キャパシタ１０５の出力電圧がリセットＩＣ１０６に供給されるように制御する。例えば、キャパシタ１０５とリセットＩＣ１０６との間にスイッチを設け、クロックが所定の設定値になった場合にクロック発生部１６０は当該スイッチをオフからオンにする。なお、クロック発生部が電子機器３と異なる機器に設けられ、電子機器３の外部のクロック発生部による制御がなされてもよい。
【００８５】
クロック発生部１６０に対しては、例えば、キャパシタ１０５から電力が供給される。キャパシタ１０５から供給される電力を使用してクロック発生部１６０は動作する。クロック発生部１６０を動作させるための電源装置が設けられてもよい。電源装置は、リチウムイオン電池等の２次電池や１次電池などである。クロック発生部１６０の消費電力は僅かであるため、コイン型等の小型の電池を使用することもできる。２次電池１０３に蓄電された電力がクロック発生部１６０に対して供給されるようにしてもよい。
【００８６】
「電子機器における処理の流れの一例」
電子機器３におけるモジュールの処理の流れの一例について、図１０のフローチャートを参照して説明する。なお、以下の説明では、モジュール１０ｃにおける処理の流れの一例について説明する。他のモジュールの処理の流れは、モジュール１０ｃと概ね同様であるが、モジュールの構成に応じた差異が存在してもよい。各モジュールの処理は、例えば、それぞれ独立して行われる。
【００８７】
ステップＳＴ４０において、発電部１００（この例では、太陽光発電部１１）が発電する。例えば、電子機器３を身につけたユーザが晴天の屋外にでることにより発電部１００に日光が照射され、発電部１００が発電する。もちろん、屋外が雨天や曇りである場合には、発電部１００は発電しないまたは僅かしか発電しない。そして、処理がステップＳＴ４１に進む。
【００８８】
ステップＳＴ４１では、発電部１００により形成された電力がレギュレータＩＣ１０１等を介して蓄電素子の一つであるキャパシタ１０５に供給される。そして、キャパシタ１０５が蓄電され、キャパシタ１０５の電圧が上昇する。そして、処理がステップＳＴ４２に進む。
【００８９】
ステップＳＴ４２では、キャパシタ１０５の電力がクロック発生部１６０に供給される。クロック発生部１６０は、供給される電力を使用して動作する。そして、処理がステップＳＴ４３に進む。
【００９０】
ステップＳＴ４３では、クロック発生部１６０が生成するクロックが設定値になったか否かがクロック発生部１６０により判断される。クロックが設定値になっていない場合には、処理がステップＳＴ４３に戻る。クロックが設定値になった場合には、クロック発生部１６０は、キャパシタ１０５の電圧をリセットＩＣ１０６に対して供給する制御を行う。そして、処理がステップＳＴ４４に進む。
【００９１】
ステップＳＴ４４では、キャパシタ１０５の電圧が基準電圧以上であるか否かが判断される。キャパシタ１０５の電圧が基準電圧以上でない場合には、処理がステップＳＴ４３に戻る。そして、クロック発生部１６０が生成するクロックが設定値になったか否かが再び判断される。キャパシタ１０５の電圧が基準電圧以上である場合には、処理がステップＳＴ４６に進む。
【００９２】
ステップＳＴ４６では、キャパシタ１０５から供給される電力を電源としてＭＰＵ１０７が動作を開始する。ＭＰＵ１０７は、通信モジュール１０９に対して電力を供給するとともに、通信モジュール１０９を制御する。ＭＰＵ１０７は、例えば、ＲＯＭ１０８ａに格納されているモジュール１０ｂの識別子を通信モジュール１０９に供給し、これらの情報の出力を指示する。そして、処理がステップＳＴ４７に進む。
【００９３】
ステップＳＴ４７では、ＭＰＵ１０７による制御に応じて、通信モジュール１０９が通信を行う。通信モジュール１０９は、所定の通信方式にしたがって、モジュール１０ｂに割り当てられた識別子を外部機器に対して送信する。
【００９４】
なお、第１の実施形態における変形例と同様に、ＭＰＵ１０７は、ＲＡＭ１０８ｂに対する記録処理を行うようにしてもよい。また、第２の実施形態と同様に、リセットＩＣ１０６がオン状態に遷移したときの時間情報をＲＡＭ１０８ｂを外部機器に出力するようにしてもよい。
【００９５】
なお、図示は省略しているが、ＭＰＵ１０７が動作することに応じて、キャパシタ１０５の電圧が低下し、これに応じて、リセットＩＣ１０６がオン状態からオフ状態に遷移する。ＭＰＵ１０７に対する給電が停止することにより、ＭＰＵ１０７および通信モジュール１０９の動作が停止する。太陽光発電部１１の発電が継続する場合などは、上述した処理が繰り返される。
【００９６】
＜４．各実施形態に共通する内容＞
以上、本開示の電子機器について、電子機器１，電子機器２および電子機器３を例示して、構成および動作の一例について説明した。以下では、それらの電子機器に共通して適用できる内容について電子機器１を例にして説明する。
【００９７】
電子機器１は、小型化が可能であるため、装飾品として、もしくは、他の機器や装飾品に対して組み込むことにより、人や動物、屋外の樹木などの生命体に容易に装着でき、携帯できる。装飾品としては、ブレスレット、ペンダント、指輪、イヤリング、ヘアバンド、鎧、甲などを例示することができる。眼鏡、帽子、靴、鞄など、ユーザが普段、使用するものに電子機器１が取り付けられていてもよい。もちろん、電子機器１は、生命体に装着され携帯されるものに限定されるわけではない。電子機器１は、机上に載置できるものでもよく、生命体以外のもの（例えば、自動車）に搭載されるものでもよい。
【００９８】
図１１は、電子機器１におけるモジュール（例えば、モジュール１０ａ）が収納される筐体の一例を示す。筐体２０１は、例えば、断面が楕円状の形状を有する。筐体２０１の大きさは、適宜、設定できる。一例として、筐体２０１の大きさは、指先程度の大きさに設定される。筐体２０１は、太陽光や屋内などの光が筐体２０１の内部に収納される発電部に照射されるように、例えば、ガラスやプラスチック等の光透過性部材からなる。
【００９９】
図１２は、筐体２０１の内部の構成の一例を簡略化して示したものである。筐体２０１の内部に、モジュール１０ａの各構成が収納される。例えば、筐体２０１の内部に基板２１０が収納され、基板２１０の一面もしくは両面に、モジュール１０ａの各構成が実装される。モジュール１０ａの周囲が樹脂等によりモールドされてもよい。例えば、基板２１０に対して、太陽光発電部１１と、蓄電素子１２と、状態遷移部１３と、ＭＰＵ１０７を含む通信モジュール１４とが実装される。なお、図１２では、説明の便宜上、筐体２０１を２つに分割できるように示しているが、筐体２０１は、分割不可能な一体的に成型されたものでもよい。
【０１００】
図１３に示すように、モジュール２０ａの各構成が筐体２０１と同様の形状を有する筐体２０２の内部に収納される。モジュール３０ａの各構成が筐体２０１と同様の形状を有する筐体２０３の内部に収納される。モジュール４０ａの各構成が筐体２０１と同様の形状を有する筐体２０４の内部に収納される。すなわち、この例では、電子機器１は、モジュールの各構成が収納された筐体２０１，２０２，２０３および２０４を有することになる。
【０１０１】
例えば、筐体２０１，２０２，２０３および２０４をひもや鎖などにより円形に接続し、ユーザの首にかけることで、電子機器１をネックレスのように使用することもできる。また、筐体２０１，２０２，２０３および２０４を円形のバンドにより接続することにより、電子機器１をリストバンドのように使用することができる。筐体２０１，２０２，２０３および２０４を一層、小型化し、小型化した各筐体をリング状の金属部材に取り付けることにより、電子機器１を指輪のように使用することができる。もちろん、これらの使用形態は一例であり、限定されるものではない。
【０１０２】
なお、発電部の特性に応じて、筐体内における発電部の配置位置が設定されるようにしてもよい。例えば、発電部が太陽光発電部である場合には、太陽光発電部に光があたるように、筐体内部の表面側に太陽光発電部が配置されることが好ましい。例えば、発電部が振動発電部である場合には、ノイズの影響を低減するために、筐体内部における中心付近に振動発電部が配置されることが好ましい。例えば、発電部が圧電素子により構成される場合には、筐体内部の表面側に圧電素子が配置されることが好ましい。
【０１０３】
「拡張モジュールについて」
電子機器１は、例えば、拡張モジュールを使用することにより、その機能を拡張することができる。図１４に示すように、拡張モジュールは、例えば、筐体２０１と同様の形状である筐体２０５を有する。筐体２０５の内部に、拡張モジュールを実現するための構成が収納される。
【０１０４】
例えば、筐体２０５の内部にメモリやメモリに対する記録および再生処理を行うドライバ等を収納することにより、拡張モジュールを記憶装置として機能させることができる。例えば、筐体２０５の内部に電子ペーパ等を収納することにより、拡張モジュールをディスプレイとして機能させることができる。例えば、筐体２０５の表面にスイッチやボタンを設け、筐体２０５と各モジュールとを電気的に接続することにより、拡張モジュールを、各モジュールに対する何らのトリガを与える装置として機能させることができる。
【０１０５】
例えば、筐体２０５の内部にクロック発生装置を収納し、筐体２０５と各モジュールとを電気的に接続することにより、拡張モジュールを、各モジュールに対してクロックを提供する装置として機能させることができる。例えば、筐体２０５の内部にＭＰＵを設け、筐体２０５と各モジュールとを電気的に接続することにより、拡張モジュールを、各モジュールを制御する制御装置として機能させることができる。
【０１０６】
例えば、筐体２０５の内部に電池を収納することにより、拡張モジュールを、各モジュールに電力を供給する電池として使用することができる。例えば、筐体２０５の内部に、計時機能および表示機能を実現する構成を収納することにより、拡張モジュールを、時計装置として機能させることができる。例えば、筐体２０５の内部にスピーカを収納することにより、拡張モジュールを、スピーカ装置として機能させることができる。拡張モジュールを、ＵＳＢ(Universal Serial Bus)メモリとして構成してもよい。例えば、筐体２０５に所定の形状の端子を形成し、拡張モジュールを電子機器１と他の機器とを接続するための端子として機能させることもできる。
【０１０７】
例えば、筐体２０５の内部を空洞に、または、樹脂を充填等してもよい。このような拡張モジュールは、例えば、複数のモジュールを接続して電子機器１をアクセサリとして使用する場合に、首や手のサイズに適合させるための調整用の部材として機能させることができる。このように電子機器１は、モジュールのほかに拡張モジュールを含む構成とすることができる。なお、電子機器１において、複数の拡張モジュールが使用されてもよい。
【０１０８】
筐体２０５の内部に通信モジュールおよび当該通信モジュールを駆動させるための電源等を収納し、拡張モジュールをメイン通信モジュールとして機能させることもできる。なお、メイン通信モジュールにおけるメインとの用語は、モジュール１０ａ等における通信モジュールと区別するための説明の便宜上の表現であり、特別の意味を有するものではない。
【０１０９】
図１５に示すように、例えば、各モジュール（モジュール１０ａ，モジュール２０ａ，モジュール３０ａおよびモジュール４０ａ）とメイン通信モジュール（適宜、メイン通信モジュール５０と称する）との間で、無線または有線による通信が行われる。例えば、数１０センチ程度の近距離の無線による通信が行われる。各モジュールは、状態遷移部がオン状態に遷移することに応じて、自身に割り当てられた識別子等をメイン通信モジュール５０に送信する。メイン通信モジュール５０は、各モジュールから受け取った識別子等の情報をスマートホンＳＨ等の外部機器に送信する。
【０１１０】
このように、外部機器との通信をメイン通信モジュールが行うようにしてもよい。ここで、電子機器と外部機器とにより構築される通信システムの例について説明する。なお、以下の説明では、説明を容易とするために、蓄電素子や状態遷移部等の図示を適宜、省略する。
【０１１１】
図１６は、電子機器１と外部機器ＡＵとに構築される通信システムの一例である。図１６に示す例は、上述した実施形態に対応する例であり、メイン通信モジュールを使用しないである。すなわち、各モジュールにおける通信モジュールがそれぞれ独立して、外部機器ＡＵと通信を行う例である。
【０１１２】
図１７は、電子機器１と外部機器ＡＵとに構築される通信システムの他の例である。図１７に示す例は、図１５を使用して説明した通信システムに対応する例である。各モジュールは、モジュールの識別子等を近距離の無線によりメイン通信モジュール５０に送信する。メイン通信モジュール５０は、モジュールから受け取った情報を外部機器ＡＵに対して送信する。各モジュールにおける通信モジュールは、例えば、近距離の無線を行えばよいので、通信モジュールやアンテナを小型化できる。さらに、通信の一連の動作に対する消費エネルギーを抑えられるため、通信頻度を多くできる。これは、例えばセンサでいうところの感度および時間分解能を向上させることに相当する。メイン通信モジュール５０は、一定の大きさが必要となるものの、発電部等を必要としないため、メイン通信モジュール５０が大型化することを防止できる。
【０１１３】
なお、電子機器１における発電部をグループ化し、グループ毎に通信モジュールを設けてもよい。例えば、図１８に示すように、モジュール１０ａの太陽光発電部１１とモジュール２０ａの温度差発電部２１とをグループ化する。このグループに対応した通信モジュール（通信モジュール６０）が設けられる。すなわち、モジュール１０ａとモジュール２０ａは、通信モジュール６０を共有することになる。なお、通信モジュールに限らず、グループに対応する１の状態遷移部が設けられる構成としてもよい。
【０１１４】
なお、図１８に示す例では、例えば、モジュール１０ａのＭＰＵとモジュール２０ａのＭＰＵとの間で通信が行われるようにし、通信モジュール６０を使用しているか否かを確認する必要がある。例えば、モジュール１０ａのＭＰＵがモジュール２０ａのＭＰＵに対して通信モジュール６０を使用しているか否かを問い合わせる。ここで、モジュール２０ａの状態遷移部がオフ状態でありＭＰＵが起動していない場合には、問い合わせに対する応答がない。したがって、モジュール１０ａのＭＰＵは通信モジュール６０を制御することにより、モジュール１０ａに割り当てられた識別子等を外部機器ＡＵに送信することができる。
【０１１５】
なお、図１９に示すように、複数のモジュール間で共通化した通信モジュール（例えば、図１８における通信モジュール６０）が、メイン通信モジュール５０と通信を行うようにしてもよい。通信モジュール６０とメイン通信モジュール５０との間で、例えば、近距離の無線通信が行われるようにしてもよい。
【０１１６】
なお、図２０に示すように、各モジュールにおける通信モジュールが、場合によってメイン通信システムとして機能する構成としてもよい。例えば、発電量が最も大きい発電部を有するモジュールの通信モジュールが、メイン通信モジュールとして割り当てられる。発電量は、例えば、電圧、電流、電力および電力量のいずれか、もしくは、これらを組み合わせたものにより規定される。メイン通信モジュールとして決定された通信モジュールと他の通信モジュールとの間で通信がなされる。メイン通信モジュールは、他の通信モジュールから受け取った情報を外部機器に送信する。
【０１１７】
なお、図２０に示す通信システムの構成では、発電部のそれぞれの発電量を監視する必要がある。このため、例えば、発電部の発電量を監視し、監視結果に応じていずれかの通信モジュールをメイン通信モジュールとして機能させるかを制御する拡張モジュール（制御装置）を設けることが望ましい。ただし、拡張モジュールとしてメイン通信モジュールを設ける必要はない。なお、通信システムの例は例示した構成に限定されることはなく、適宜、変更できる。
【０１１８】
＜５．応用例＞
次に、電子機器の応用例について説明する。もちろん、本開示の内容が以下に説明する応用例に限定されるものではない。
【０１１９】
図２１に示すように、電子機器１（電子機器２や電子機器３でもよい）は、第２の電子機器に対して、通信等により所定の情報を出力する。所定の情報とは、例えば、モジュール毎に割り当てられた識別子や、時間情報である。第２の電子機器は、取得部の一例として、電子機器１から送信される所定の情報を受信する受信部を有する。第２の電子機器は、電子機器１から送信された所定の情報に基づいて、種々の情報を生成する。
【０１２０】
第２の電子機器としては、ゲーム装置Ｇ、健康管理装置Ｈ，解析装置などを例示することができる。解析装置としては、位置情報識別装置Ｐを例示することができる。なお、電子機器１が、スマートホン等の中継機器（第３の電子機器）を介して、第２の電子機器と通信を行うようにしてもよい。第２の電子機器は、例えば、識別子に対応するモジュールが有する発電部の構成を予め把握している。このため、例えば、モジュール１０ａの識別子が電子機器１から送信された場合には、第２の電子機器は、モジュール１０ａの太陽光発電部１１が一定以上、発電したことを認識することができる。
【０１２１】
「ゲームシステムへの応用例」
始めに、第２の電子機器をゲーム装置Ｇとし、ゲームシステムへの応用例について図２２を参照して説明する。ゲーム装置Ｇは、以下に説明する機能を実現するためのＣＰＵ(Central Processing Unit)等の制御装置や一定期間内におけるモジュールの識別子の受信回数を記憶する記憶装置などを有する。なお、この例におけるゲーム装置は、上述した中継機器の一例であるスマートホンなどのゲーム機能を有することが可能な機器であってもよい。図２２Ａ〜図２２Ｄにおける棒状のグラフは、モジュールの識別子の受信回数のパターンを模式的に示したものである。
【０１２２】
図２２Ａに示す例では、太陽光発電部１１を有するモジュール１０ａの識別子の受信回数が最も多く、次いで、振動発電部３１を有するモジュール３０ａの識別子の受信回数が多い。温度差発電部２１を有するモジュール２０ａの識別子の受信回数が一定回数あるものの、電波発電部４１を有するモジュール４０ａの識別子の受信回数が最も少ない。
【０１２３】
図２２Ｂに示す例では、太陽光発電部１１を有するモジュール１０ａの識別子の受信回数と、振動発電部３１を有するモジュール３０ａの識別子の受信回数とが多い。温度差発電部２１を有するモジュール２０ａの識別子の受信回数も多い。電波発電部４１を有するモジュール４０ａの識別子の受信回数も一定以上、ある。
【０１２４】
図２２Ｃに示す例では、太陽光発電部１１を有するモジュール１０ａの識別子の受信回数と、振動発電部３１を有するモジュール３０ａの識別子の受信回数とが少ない。温度差発電部２１を有するモジュール２０ａの識別子の受信回数と、電波発電部４１を有するモジュール４０ａの識別子の受信回数とは、一定以上、ある。
【０１２５】
図２２Ｄに示す例では、太陽光発電部１１を有するモジュール１０ａの識別子の受信回数と、振動発電部３１を有するモジュール３０ａの識別子の受信回数とが一定以上、ある。これに対して、温度差発電部２１を有するモジュール２０ａの識別子の受信回数と、電波発電部４１を有するモジュール４０ａの識別子の受信回数とは、モジュール１０ａの識別子の受信回数に比べて多い。
【０１２６】
ゲーム装置Ｇは、これらの情報を使用して電子機器１のユーザの行動特性を分析する。例えば、図２２Ａのパターンの場合には、モジュール１０ａの識別子の受信回数が多いことから、太陽光発電部１１が頻繁に発電する。すなわち、電子機器１のユーザが屋外で活動することが推測される。これに対して、モジュール４０ａの識別子の受信回数が少ないことから、電波発電部４１があまり発電していない。すなわち、電子機器１のユーザが、電波が届きにくい地域（例えば、山）で活動することが推測される。
【０１２７】
一方、モジュールで２０ａの識別子の受信回数とモジュール３０ａの識別子の受信回数は通常のレベル程度、存在していることから、温度差発電部２１および振動発電部３１は、通常のレベル程度、発電している。すなわち、ユーザが歩行程度の活動をしていることが推測される。以上から、図２２Ａのようなパターンの場合は「アウトドアをよく楽しむ」という行動特性が判別される。
【０１２８】
図２２Ｂのパターンの場合には、モジュール１０ａの識別子の受信回数が多いことから、太陽光発電部１１が頻繁に発電する。すなわち、電子機器１のユーザが屋外で活動することが推測される。さらに、モジュール２０ａの識別子の受信回数およびモジュール３０ａの識別子の受信回数も多いことから、温度差発電部２１および振動発電部３０が頻繁に発電する。すなわち、電子機器１のユーザが活発に活動していることが推測される。以上から、図２２Ｂのようなパターンの場合は「スポーツをよくする」という行動特性が判別される。
【０１２９】
図２２Ｃのパターンの場合には、モジュール１０ａの識別子の受信回数およびモジュール３０ａの識別子の受信回数が少ないことから、太陽光発電部１１および振動発電部３０はあまり発電していない。すなわち、電子機器１のユーザが屋内におり、あまり活発に行動していないと推測される。以上から、図２２Ｃのようなパターンの場合は「屋内にこもりがち」という行動特性が判別される。
【０１３０】
図２２Ｄのパターンの場合には、モジュール２０ａの識別子の受信回数がやや多いことから、温度差発電部２１が発電する。すなわち、電子機器１のユーザがやや活発に活動していることが推測される。また、モジュール４０ａの識別子の受信回数が多いことから、電波発電部４１が頻繁に発電する。すなわち、電子機器１のユーザがいる場所が、電波が行き届いている場所（例えば、市街地）であることが推測される。以上から、図２２Ｄのようなパターンの場合は「街でよく遊ぶ」という行動特性が判別される。
【０１３１】
ゲーム装置Ｇは、判別した行動特性に基づいて、ゲームに関する情報、例えば、ゲームにおいて使用されるキャラクタを生成する。例えば、「アウトドアをよく楽しむ」という行動特性が判別される場合には、この行動特性を反映させて、例えば、アウトドアを想起させる「山に住むキャラクタ」を生成する。例えば、「スポーツをよくする」という行動特性が判別される場合には、この行動特性を反映させて、例えば、「屈強な戦士のキャラクタ」を生成する。
【０１３２】
例えば、「屋内にこもりがち」という行動特性が判別される場合には、この行動特性を反映させて、例えば、勉強や知識の習得を楽しむイメージを想起させる「知性を感じる魔法使いのキャラクタ」を生成する。例えば、「街でよく遊ぶ」という行動特性が判別される場合には、この行動特性を反映させて、例えば、遊びが好きな性格を想起させる「いたずら好きな小人のキャラクタ」を生成する。
【０１３３】
ゲーム装置Ｇは、生成したキャラクタをゲームにおいて使用できるように設定する。ゲーム装置Ｇは、生成したキャラクタのデータをユーザが所有するスマートホン等に送信するようにしてもよい。以上のように、電子機器１から送信された情報を使用してゲームに関する情報を生成することができる。また、ゲーム以外のアプリケーションのアバターなどへの利用も適用可能である。
【０１３４】
「健康管理システムへの応用例」
次に、電子機器１を健康管理システムに応用した例について図２３を参照して説明する。電子機器１は、モジュールの識別子等の情報を健康管理装置Ｈに対して送信する。健康管理装置Ｈは、以下に説明する機能を実現するためのＣＰＵ等の制御装置などを有する。健康管理装置Ｈは、電子機器１から送信された所定の情報を使用して、健康に関する情報、例えば、健康管理に資するアドバイスを生成する。
【０１３５】
図２３Ａは、１日におけるモジュール１０ａの識別子の受信回数の変化の一例を示す。受信回数を例えば５段階に設定し、異なるハッチングにより各段階を示している。レベルが高いハッチングが付された時間帯は、モジュール１０ａの識別子の受信回数が多いことを示している。図２３Ａに示されるように、午前の８時あたりから夕方にかけ、比較的、高いレベルで受信回数が変化する。健康管理装置Ｈは、この受信回数の変化から、電子機器１のユーザの外出が多いため、太陽光発電部１１が頻繁に発電していると分析する。健康管理装置Ｈは、分析結果に応じた健康管理のためのアドバイスを生成する。健康管理装置Ｈは、例えば、「紫外線に気をつけましょう」というアドバイスを生成する。
【０１３６】
図２３Ｂは、１日におけるモジュール２０ａの識別子の受信回数の変化の一例を示す。レベルが高いハッチングが付された時間帯は、モジュール２０ａの識別子の受信回数が多いことを示している。図２３Ｂに示されるように、朝方および夕方にかけ、比較的、高いレベルで受信回数が変化する。健康管理装置Ｈは、この受信回数の変化から、電子機器１のユーザが夏または冬において通勤・通学のために、気温の差が激しい屋内と屋外を行き来しているため、温度差発電部２１が発電している分析する。健康管理装置Ｈは、分析結果に応じた健康管理のためのアドバイスを生成する。健康管理装置Ｈは、例えば、「体温調節に気をつけましょう」というアドバイスを生成する。
【０１３７】
図２３Ｃは、１日におけるモジュール３０ａの識別子の受信回数の変化の一例を示す。レベルが高いハッチングが付された時間帯は、モジュール３０ａの識別子の受信回数が多いことを示している。図２３Ｃに示されるように、夜間から朝方を除いては、比較的、高いレベルで受信回数が変化する。健康管理装置Ｈは、この受信回数の変化から、電子機器１のユーザが活発に活動するため、振動発電部３１が頻繁に発電していると分析する。健康管理装置Ｈは、分析結果に応じた健康管理のためのアドバイスを生成する。健康管理装置Ｈは、例えば、「休みましょう」というアドバイスを生成する。
【０１３８】
図２３Ｄは、１日におけるモジュール４０ａの識別子の受信回数の変化の一例を示す。レベルが高いハッチングが付された時間帯は、モジュール４０ａの識別子の受信回数が多いことを示している。図２３Ｄに示されるように、日中、比較的、高いレベルで受信回数が変化する。健康管理装置Ｈは、この受信回数の変化から、電子機器１のユーザが日中、仕事でパーソナルコンピュータを使用するため、パーソナルコンピュータから発生する電波により電波発電部４１が頻繁に発電していると分析する。健康管理装置Ｈは、分析結果に応じた健康管理のためのアドバイスを生成する。健康管理装置Ｈは、例えば、「目を休めましょう」というアドバイスを生成する。
【０１３９】
健康管理装置Ｈは、生成したアドバイスを、例えば、予め登録された電子メールのアドレスに送信する。ユーザは、健康管理にアドバイスを得ることができる。郵送等により、健康管理装置Ｈにより生成されたアドバイスがユーザに送付されてもよい。
【０１４０】
「認証システムへの応用例」
次に、電子機器１を認証システムに応用した例について説明する。認証システムは、例えば、電子機器１と、認証情報判別システムＹと、物理鍵および論理鍵の少なくとも一方である鍵Ｚとを有する。認証情報判別システムＹは、以下に説明する機能を実現するためのＣＰＵ等の制御装置を有する。電子機器１は、電子機器１を装着または設置した個体を特定する識別情報および電子機器１を装着または設置した個体の集合であるグループを特定する識別情報の少なくとも一方を生成する。
【０１４１】
認証情報判別システムＹは、データベースを有する。データベースには、個体を特定する電子機器１から送信される情報の特徴が個体・グループ毎または条件毎に格納されている。例えば、上述した健康管理システムの例で示されるように、電子機器１を装着または設置した対象（適宜、装着・設置対象と表記する）が置かれた環境によって電子機器１は間接的に装着・設置対象の特徴を示す情報を生成する。換言すれば、装着・設置対象自体を特定する情報、または、ある満たすべき特定の条件を定義するのに十分または十分ではないが、有効な情報として電子機器１が装着・設置対象の周囲環境から得た各種エネルギーから生成した情報を、認証情報Ａとする。
【０１４２】
また、装着・設置対象が意図的にあるパターンで電子機器１に対して入力エネルギーを与えることにより、電子機器１に装着・設置対象固有の情報を生成させることが可能である。すなわち、例えば、太陽光をある時間受けると情報を生成する電子機器１に対して手をかざして太陽光を遮ることをある一定のタイミングで繰り返すことにより、意図的に特徴的な情報を生成することが可能になる。この特徴量は生成した装着・設置対象しか知りえない情報、または、ある満たすべき特定の条件を定義する情報とすることができる。ゆえに装着・設置対象自体を特定する情報ないし、ある特定の条件に定義するのに十分、または、十分ではないものの有効な情報として電子機器１が生成した情報を認証情報Ｂとする。
【０１４３】
これらの認証情報Ａまたは認証情報Ｂ、もしくは、認証情報Ａ，Ｂを組み合わせたものが認証情報としてデータベースに格納されていてもよい。さらに、装着・設置対象を特定する情報または満たすべきある特定の条件を定義する情報としては電子機器１により生成されない情報を電子機器１で生成される情報と合わせて利用してもよい。すなわち、装着・設置対象の特有の特徴量、例えば人であれば、身体的特徴量（指紋・声紋・虹彩・静脈・ＤＮＡ・顔や体の輪郭など）、文字列などのＩＤ情報や趣味・趣向に関する情報などがあげられ、これらの認証情報Ｃと電子機器１から得られる認証情報ＡまたはＢもしくはＡおよびＢとを組み合わせたものを認証情報Ｄとすることもできる。
【０１４４】
例えば、認証情報判別システムＹに備えられたデータベースに上述した認証情報Ａ，Ｂ，Ｃ，Ｄのいずれかまたはその複数を登録し、登録された認証情報と、電子機器１により生成される情報あるいは電子機器１で生成された情報から生成される副次的な情報とを比較することで、物理的、あるいは論理的な鍵Ｚの開閉を行う。
【０１４５】
鍵Ｚは、たとえば物理的に施錠が可能なドアであってもよいし、電気的な信号等により開錠される接点であってもよいし、あるプログラムから別のプログラムへのアクセス制御に使われる変数など、その形式は問わない。より具体的な例としては、ゲームシステムへの応用例のように装着・設置対象に装着・設置した電子機器１からの情報にて、当該装着・設置対象へ属性値や職業などを付与した場合、ある特定の属性や職業でないと入場できないゲームプログラム上の区画を設けたり、ゲームプログラムではなく、現実空間で入場が制限されるなどしてもよい。
【０１４６】
さらに、例えば、電子機器１を一部に使用し、つくられた腕輪型のアクセサリ形態を、例えば、アクセサリを回転させることで電子機器１に設けられた振動／運動発電デバイスが特定の発電パターンで発電し、さらに、太陽光での発電部分を１秒に１回、数回を行うと形を変えたり、色を変化させるなど特定の条件にあわせた変化に使用することができる。特定の条件にあった装着・設置対象のみを対象としたイベントを行うなど装着・設置対象に対するコントロールがなされてもよい。
【０１４７】
また、健康管理システムへの応用例のように装着・設置対象に装着・設置された電子機器１からの情報に応じて装着・設置対象の健康状態が把握されてもよい。そして、装着・設置対象についての健康状態に応じてグループ化が行われ、例えば、グループに応じて病棟のアクセス区画を分けられるなどしてもよいし、アクセスできる薬ケースのコントロールがなされてもよい。
【０１４８】
「位置情報識別システムへの応用例」
次に、電子機器１を位置情報識別システムに応用した例について説明する。位置情報識別システムは、例えば、電子機器１と位置情報識別装置Ｐとを有する。位置情報識別装置Ｐは、以下に説明する機能を実現するためのＣＰＵ等の制御装置を有する。
【０１４９】
位置情報識別装置Ｐは、データベースを有する。データベースには、電子機器１から送信される情報の特徴が地域ごとに格納されている。例えば、Ａ地域は、晴天が多く、寒暖差も少なく、電波が行き届いていない地域とする。このような地域は、太陽光発電部１１が頻繁に発電するためモジュール１０ａの識別子の受信回数が多くなる傾向がある。一方で温度差発電部２１および電波発電部４１があまり発電しないため、モジュール２０ａおよびモジュール４０ａの識別子の受信回数が少なくなる傾向がある。
【０１５０】
また、例えば、Ｂ地域は、雨天が多く、寒暖差が大きく、道路が整備されていない地域とする。このような地域は、太陽光発電部１１があまり発電しないためモジュール１０ａの識別子の受信回数が少なくなる傾向がある。一方で温度差発電部２１および振動発電部３０が比較的多く発電する可能性があるため、モジュール２０ａおよびモジュール３０ａの識別子の受信回数が多くなる傾向がある。
【０１５１】
位置情報識別装置Ｐは、電子機器１から送信されるモジュールの識別子の受信回数の傾向に同一または類似する傾向の地域を、データベースに蓄積された情報から検索する。そして、検索結果に基づいて電子機器１が存在する地域を判別する。
【０１５２】
「その他の応用例」
電子機器１から送信される所定の情報に応じて、複数のウェブサイトにて使用可能な情報が生成されてもよい。また、発電部の発電能力に関する情報が生成されるようにしてもよい。例えば、太陽光発電部や電波発電部や新たに開発された発電部がどの程度、発電できるかの実証データが生成されるようにしてもよい。この実証データは、例えば、発電部を開発する企業や電力会社に提供し得る。
【０１５３】
また、モジュールの識別子の受信回数もしくは受信の時間間隔を使用して、当該モジュールが有する発電部の発電能力（電力量、平均電力、平均電圧など）を推測した２次情報が生成されてもよい。さらに、２次情報を使用して、モジュールが有する発電部が太陽光発電部の場合は日照量、モジュールが有する発電部が温度差発電部の場合は温度や代謝熱量、モジュールが有する発電部が振動発電部であれば加速度や運動量、モジュールが有する発電部が電波発電部であれば電波強度などの３次情報が生成されてもよい。
【０１５４】
なお、モジュールの識別子の受信回数ではなく、電子機器１から送信される、モジュールの識別子および時間情報を使用してもよい。ゲーム装置Ｇ等は、時間情報の間隔が短ければ、該当するモジュールが有する発電部が頻繁に発電していると判断することができる。
【０１５５】
＜６．変形例＞
以上、本開示の実施形態について具体的に説明したが、本開示は、上述の実施形態に限定されるものではなく、本開示の技術的思想に基づく各種の変形が可能である。
【０１５６】
上述した実施形態では、電子機器における状態遷移部が、電気エネルギーに基づいて状態を遷移する構成としたが、これに限定されることはない。電気エネルギーと異なるエネルギー（第１のエネルギー）に基づいて、状態遷移部が状態を遷移するようにしてもよい。この場合は、第１のエネルギーが第２のエネルギーの一例である電気エネルギーに変換され、状態遷移部の状態が遷移した後に電気エネルギーが出力部（例えば、通信モジュール）に供給される。供給される電気エネルギーを使用して、出力部が所定の情報を外部機器に向けて出力する。所定の情報の具体例は、第１の実施形態等で説明してあるため重複した説明を省略する。
【０１５７】
図２４は、変形例における電子機器の１のモジュール（適宜、モジュール１０ｄと称する）の構成の一例を示す。図２４では、第１のエネルギーの流れを点線により示し、第２のエネルギーまたは第２のエネルギーに基づく信号やコマンドの流れを実線により示して区別している。モジュール１０ａ等と同様の構成には同一の参照符号を付し、重複した説明を適宜、省略する。
【０１５８】
モジュール１０ｄは、第１のエネルギーの一例である熱エネルギーを蓄積する蓄熱部２５０と、変換部の一例である発電部２５１と、状態遷移部の一例であるバイメタル２５２とを有する。モジュール１０ｄは、さらに、ＭＰＵ１０７と、記憶部１０８と、通信モジュール１０９とを有する。
【０１５９】
蓄熱部２５０は熱エネルギーを蓄積するとともに、適宜なタイミングにおいて熱エネルギーを発電部２５１およびバイメタル２５２に対して供給する。発電部２５１は、蓄熱部２５０から供給される熱エネルギーを電気エネルギーに変換するデバイスであり、公知のものを適用できる。バイメタル２５２は、熱膨張の異なる金属を張り合わせたバイメタルと接点とで構成されており、温度変化によりバイメタルが膨張して接点を動作させることにより電気を開閉するスイッチである。バイメタル２５２は、例えば、オン／オフの２状態の間を遷移するものであり、バイメタル２５２がオン状態のときに、バイメタル２５２とＭＰＵ１０７とが電気的に接続される。
【０１６０】
モジュール１０ｄの動作の一例について概略的に説明する。蓄熱部２５０の蓄熱作用により、蓄熱部２５０が熱エネルギーを蓄積する。蓄熱部２５０から発電部２５１およびバイメタル２５２のそれぞれに熱エネルギーが供給される。発電部２５１は、供給される熱エネルギーを電気エネルギーに変換することにより発電する。バイメタル２５２は、供給される熱エネルギーに応じて温度が上昇し、一定以上の温度になると状態がオンする。バイメタル２５２がオンすることにより、バイメタル２５２とＭＰＵ１０７とが電気的に接続される。
【０１６１】
なお、バイメタル２５２は、電気接点のオン／オフ切り替えではなく、熱接点のオン／オフ切り替えに利用してもよい。すなわち、蓄熱部２５０の温度上昇とともに、バイメタル２５２がオン状態となったときに発電部２５１に熱的に接続され、熱エネルギーが蓄熱部２５０からバイメタル２５２を通じて伝導する。このときの流入熱エネルギーに応じて発電部２５１が発電する構成としてもよい。
【０１６２】
バイメタル２５２とＭＰＵ１０７とが電気的に接続される、もしくは、発電部２５１がＭＰＵ１０７に対して直接、接続されることにより、発電部２５１により生成された電力がＭＰＵ１０７に供給される。ＭＰＵ１０７は、記憶部１０８および通信モジュール１０９に電力を供給するとともに、通信モジュール１０９が所定の動作を行うように制御する。ＭＰＵ１０７による制御に応じて通信モジュール１０９が動作し、通信モジュール１０９が、例えば、モジュール１０ｄの識別子を外部機器に対して送信する。なお、バイメタル２５２ないし発電部２５１とＭＰＵ１０７との間に、キャパシタ等の蓄電素子が設けられ、発電部２５１により生成された電力が蓄電素子に貯蔵される構成としてもよい。
【０１６３】
他の例について説明する。図２５は、変形例における電子機器の１のモジュール（適宜、モジュール１０ｅと称する）の構成の一例を示す。図２５では、第１のエネルギーの流れを点線により示し、第２のエネルギーまたは第２のエネルギーに基づく信号やコマンドの流れを実線により示して区別している。モジュール１０ａ等と同様の構成には同一の参照符号を付し、重複した説明を適宜、省略する。
【０１６４】
モジュール１０ｅは、ぜんまい３００と、変換部の一例である発電部３０１とを有する。モジュール１０ｅは、さらに、ＭＰＵ１０７と、記憶部１０８と、通信モジュール１０９とを有する。ぜんまい３００は、外部から与えられる運動エネルギーを蓄積する蓄積部として機能するとともに、蓄積した運動エネルギーを蓄積する状態および解放する状態の間を遷移する状態遷移部として機能する。運動エネルギーを蓄積する状態とは、例えば、ぜんまい３００が十分に巻き上げられた状態であり、運動エネルギーを解放する状態とは、例えば、巻き上げられたぜんまい３００が巻き戻す動作を行う状態である。なお、ぜんまい３００に対しては、例えば、電子機器１を装着したユーザの振動が運動エネルギーとして供給される。
【０１６５】
発電部３０１は、例えば、磁石とコイルとを含む電磁誘導発電する機構である。ぜんまい３００から供給される運動エネルギーに応じて、発電部３０１の磁石またはコイルの一方が回転し、発電する。発電部３０１により生成された電力がＭＰＵ１０７に供給される。
【０１６６】
モジュール１０ｅの動作の一例について、概略的に説明する。ユーザの振動等により、ぜんまい３００が巻き上げられ、ぜんまい３００に運動エネルギーが蓄積される。そして、ぜんまい３００が十分に巻き上げられた後にぜんまい３００が解放状態となり、発電部３０１に対して運動エネルギーが供給される。ぜんまい３００より供給される運動エネルギーにより、例えば、発電部３０１の磁石が回転し、発電部３０１が発電する。発電部３０１により生成された電力がＭＰＵ１０７に供給される。
【０１６７】
ＭＰＵ１０７は、記憶部１０８および通信モジュール１０９に電力を供給するとともに、通信モジュール１０９が所定の動作を行うように制御する。ＭＰＵ１０７による制御に応じて通信モジュール１０９が動作し、通信モジュール１０９が、例えば、モジュール１０ｅの識別子を外部機器に対して送信する。なお、発電部３０１とＭＰＵ１０７との間に、キャパシタ等の蓄電素子が設けられ、発電部３０１により生成された電力が蓄電素子に貯蔵される構成としてもよい。
【０１６８】
これらの例のほかに、電気以外の態様でエネルギー蓄える素子としては、光エネルギーを蓄積する蓄光材を使用することができる。この場合には、光エネルギーを電気エネルギーに変換するエネルギー変換デバイスが使用される。
【０１６９】
上述した実施形態では、状態遷移部がオン状態に遷移することに応じて、外部機器にモジュールの識別子等を送信するようにしたが、状態遷移部がオン状態に遷移することに応じて、ＭＰＵによる記録処理のみが行われるようにしてもよい。例えば、状態遷移部がオン状態に遷移した回数が電子機器における記憶部に記憶される。電子機器の記憶部に記憶された情報は、例えば、パーソナルコンピュータと電子機器が接続された際に、パーソナルコンピュータに出力されるように構成される。
【０１７０】
本開示は、装置に限らず、方法、プログラム、システム等により実現することができる。プログラムは、例えば、ネットワークを介して、若しくは、光ディスクや半導体メモリ等の可搬型のメモリを介してユーザに提供し得る。
【０１７１】
その場合、プログラムの機能を有していれば、オブジェクトコード、インタプリタにより実行されるプログラム、ＯＳに供給するスクリプトデータ等、プログラムの形態を問わない。有線／無線通信を用いたプログラムの供給方法としては、コンピュータネットワーク上のサーバに本開示の内容を実現するコンピュータプログラムそのもの、もしくは圧縮され自動インストール機能を含むファイル等、クライアントコンピュータ上で本開示の内容を実現するコンピュータプログラムとなりうるデータファイル（プログラムデータファイル）を記憶し、接続されたクライアントコンピュータにプログラムデータファイルをダウンロードする方法などが挙げられる。この場合、プログラムデータファイルを複数のセグメントファイルに分割し、セグメントファイルを異なるサーバに配置してもよい。
【０１７２】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【０１７３】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【０１７４】
本開示は、以下の構成もとることができる。
（１）
周囲の環境に応じて電力を生成する発電部と、
前記発電部から供給される電力に応じて状態が遷移する状態遷移部と、
前記状態遷移部の状態が遷移することに応じて、所定の情報を出力する出力部と
を有する電子機器。
（２）
前記所定の情報を記録する記録部を有し、
前記出力部は記録された所定の情報を読み出した後、該所定の情報を出力するように構成された
（１）に記載の電子機器。
（３）
前記状態遷移部の状態が遷移することに応じて、前記発電部により生成された電力が前記出力部に対して供給されるように構成された
（１）または（２）に記載の電子機器。
（４）
前記状態遷移部および前記出力部に対して接続される制御部を有し、
前記状態遷移部の状態が遷移することに応じて、前記発電部により生成された電力が前記制御部に対して供給され、
前記制御部による制御に応じて前記出力部は前記所定の情報を出力するように構成された
（３）に記載の電子機器。
（５）
前記発電部により生成された電力が、１または複数の蓄電素子を介して状態遷移部に供給されるように構成された
（１）乃至（４）のいずれかに記載の電子機器。
（６）
所定の周期でもって前記状態遷移部の状態が遷移したか否かが判断されるように構成された
（１）乃至（５）のいずれかに記載の電子機器。
（７）
前記所定の情報は、前記発電部に割り当てられた識別子である
（１）乃至（６）のいずれかに記載の電子機器。
（８）
前記識別子は、外部機器と通信を確立する際に前記発電部に割り当てられる
（７）に記載の電子機器。
（９）
前記所定の情報は、前記識別子、および、前記状態遷移部の状態が遷移したときの時間情報である
（１）乃至（６）のいずれかに記載の電子機器。
（１０）
前記出力部は、有線または無線による通信により前記所定の情報を出力する
（１）乃至（９）のいずれかに記載の電子機器。
（１１）
メイン出力部を有し、
前記出力部と前記メイン出力部との間で通信が行われ、
前記メイン出力部は、前記出力部から送信された前記所定の情報を外部機器に対して出力するように構成された
（１）乃至（１０）のいずれかに記載の電子機器。
（１２）
前記出力部と前記メイン出力部との間で有線による通信が行われるように構成された
（１１）に記載の電子機器。
（１３）
前記出力部と前記メイン出力部との間で近距離の無線による通信が行われるように構成された
（１１）に記載の電子機器。
（１４）
人体または動物に装着可能なように構成され、携帯可能に構成された
（１）乃至（１３）のいずれかに記載の電子機器。
（１５）
前記発電部は、光、熱、振動、電波、酵素のいずれかに基づくエネルギーまたは所定の機器と近接することにより得られるエネルギーにより発電する
（１）乃至（１４）のいずれかに記載の電子機器。
（１６）
前記状態遷移部は、前記発電部から出力される発電量が所定以上になると、オフからオンに状態が遷移する回路または素子である
（１）乃至（１５）のいずれかに記載の電子機器。
（１７）
前記発電量は、電圧、電流、電力および電力量のいずれか、または、それらを組み合わせたものにより規定される
（１６）に記載の電子機器。
（１８）
複数の前記発電部を有する
（１）乃至（１７）のいずれかに記載の電子機器。
（１９）
前記複数の発電部毎に対応して、前記状態遷移部および前記出力部が設けられる
（１８）に記載の電子機器。
（２０）
前記複数の発電部のそれぞれの発電量に応じて、外部機器と通信を行う出力部が決定されるように構成された
（１）乃至（１９）のいずれかに記載の電子機器。
（２１）
前記発電量は、電圧、電流、電力および電力量のいずれか、または、それらを組み合わせたものにより規定される
（２０）に記載の電子機器。
（２２）
前記決定された出力部と他の出力部との間で通信が行われ、前記決定された出力部は、前記他の出力部から送信された前記所定の情報を外部機器に対して出力する
（２０）または（２１）に記載の電子機器
（２３）
前記複数の発電部がグループ化され、
前記発電部の前記グループごとに前記状態遷移部および前記出力部が設けられる
（１８）乃至（２２）のいずれかに記載の電子機器。
（２４）
前記発電部が収納される筐体を有し、
前記発電部の特性に応じて、前記筐体内における発電部の位置が設定された
（１）乃至（２３）のいずれかに記載の電子機器。
（２５）
時計機能、表示機能および端子機能の少なくとも一の機能を有するように構成された
（１）乃至（２４）のいずれかに記載の電子機器。
（２６）
第１のエネルギーを蓄積する蓄積部と、
前記第１のエネルギーに応じて、状態が遷移する状態遷移部と、
前記第１のエネルギーを第２のエネルギーに変換する変換部と、
前記状態遷移部の状態が遷移することに応じて前記第２のエネルギーが供給され、前記第２のエネルギーを使用して所定の情報を出力する出力部と
を有する電子機器。
（２７）
発電部が周囲の環境に応じて電力を生成し、
状態遷移部が、前記発電部から供給される電力に応じて状態を遷移し、
出力部が、前記状態遷移部の状態が遷移することに応じて、所定の情報を出力する
電子機器における情報処理方法。
（２８）
第１の電子機器と第２の電子機器とを有し、
前記第１の電子機器は、
周囲の環境に応じて電力を生成する発電部と、
前記発電部から供給される電力に応じて状態が遷移する状態遷移部と、
前記状態遷移部の状態が遷移することに応じて、所定の情報を前記第２の電子機器に向けて出力する出力部と
を有し、
前記第２の電子機器は、
前記第１の電子機器から出力された前記所定の情報を取得する取得部を有する
情報処理システム。
（２９）
前記第１の電子機器および前記第２の電子機器と通信可能な第３の電子機器を有し、
前記第１の電子機器から出力された前記所定の情報が前記第３の電子機器を介して前記第２の電子機器に供給される
（２８）に記載の情報処理システム。
（３０）
前記第２の電子機器は、前記所定の情報が供給される頻度および前記所定の情報が供給される間隔の少なくとも一方に基づく情報を生成する
（２８）または（２９）に記載の情報処理システム。
（３１）
前記第２の電子機器は、前記所定の情報が供給される頻度および前記所定の情報が供給される間隔の少なくとも一方に基づいて、複数のウェブサイトにて使用可能な情報、ゲームに関する情報、健康に関する情報、認証に関する情報、前記第１の電子機器が存在する位置に関する情報、発電部の発電能力に関する情報のいずれかを生成する
（２８）乃至（３０）のいずれかに記載の情報処理システム。
【符号の説明】
【０１７５】
１・・・電子機器
１０ａ，１０ｂ，１０ｃ，１０ｄ，１０ｅ・・・モジュール
１１・・・太陽光発電部
２１・・・温度差発電部
３１・・・振動発電部
４１・・・電波発電部
１３，２３，３３，４３・・・状態遷移部
１４，２４，３４，４４・・・通信モジュール
１００，２０１，３０１・・・発電部
１０６・・・リセットＩＣ
１０７・・・ＭＰＵ
１０８・・・記憶部
１０９・・・通信モジュール
２００・・・蓄熱部
２０２・・・バイメタル
３００・・・ぜんまい
【図１】
2015109009.tif 000003
【図２】
2015109009.tif 000004
【図３】
2015109009.tif 000005
【図４】
2015109009.tif 000006
【図５】
2015109009.tif 000007
【図６】
2015109009.tif 000008
【図７】
2015109009.tif 000009
【図８】
2015109009.tif 000010
【図９】
2015109009.tif 000011
【図１０】
2015109009.tif 000012
【図１１】
2015109009.tif 000013
【図１２】
2015109009.tif 000014
【図１３】
2015109009.tif 000015
【図１４】
2015109009.tif 000016
【図１５】
2015109009.tif 000017
【図１６】
2015109009.tif 000018
【図１７】
2015109009.tif 000019
【図１８】
2015109009.tif 000020
【図１９】
2015109009.tif 000021
【図２０】
2015109009.tif 000022
【図２１】
2015109009.tif 000023
【図２２】
2015109009.tif 000024
【図２３】
2015109009.tif 000025
【図２４】
2015109009.tif 000026
【図２５】
2015109009.tif 000027